【手続補正書】
【提出日】平成23年2月3日(2011.2.3)
【手続補正１】
【補正対象書類名】特許請求の範囲
【補正対象項目名】全文
【補正方法】変更
【補正の内容】
【特許請求の範囲】
【請求項１】
磁場に無線電力を送信する第一のサイズの送信アンテナを有する第一のシステムと、
あるエリアに前記無線電力を再送する第二のサイズの中継器アンテナを備えているシステム。
【請求項２】
前記中継器アンテナは誘導ループと容量で作られる請求項１のシステム。
【請求項３】
前記誘導ループは、互いに電気的に隔離されたストランドを備えたストランドワイヤで作られる請求項２のシステム。
【請求項４】
前記誘導ループは、ワイヤの実際の断面積を増大させることなくアンテナに使用されるワイヤの有効断面積を増大させる物質で作られる請求項２のシステム。
【請求項５】
前記送信アンテナは、部屋の周囲を囲んでいる請求項１のシステム。
【請求項６】
前記送信アンテナは、部屋の異なるレベルにある請求項５のシステム。
【請求項７】
前記第一のシステムは、周波数発生器とマッチングシステムを有し、前記マッチングシステムは、結合トランスと、前記トランスの二次側のコンデンサを有している請求項１のシステム。
【請求項８】
前記中継器アンテナは、前記中継器アンテナの共振周波数を変更するために調整可能である同調要素を有している請求項２のシステム。
【請求項９】
前記同調要素は可変容量を有している請求項８のシステム。
【請求項１０】
前記要素は、前記共振周波数を下方向に単に調節する請求項８のシステム。
【請求項１１】
前記同調要素は、前記誘導ループの一部を短絡させる部分を有している請求項８のシステム。
【請求項１２】
前記要素は、短絡する誘導ループの面積を変更するために可変サイズである請求項１１のシステム。
【請求項１３】
前記要素は三角形である請求項１２のシステム。
【請求項１４】
前記可変容量は切替容量である請求項９のシステム。
【請求項１５】
中継器アンテナを備え、前記中継器アンテナのエリア内の磁気的発生無線電力を受信し再送するように同調されたシステム。
【請求項１６】
前記中継器アンテナは誘導ループと容量で作られる請求項１５のシステム。
【請求項１７】
前記誘導ループは、ワイヤの実際の断面積を増大させることなく中継器アンテナに使用されるワイヤの有効断面積を増大させる物質で作られる請求項１６のシステム。
【請求項１８】
前記誘導ループは、互いに電気的に隔離されたストランドを備えたストランドワイヤで作られる請求項１７のシステム。
【請求項１９】
磁気エネルギーを送信する送信アンテナをさらに備えている請求項１５のシステム。
【請求項２０】
前記中継器アンテナは、前記中継器アンテナの共振周波数を変更することに調整可能である同調要素を有している請求項１６のシステム。
【請求項２１】
前記同調要素は可変容量を有している請求項２０のシステム。
【請求項２２】
前記同調要素は、前記共振周波数を下方向に単に調節する請求項２０のシステム。
【請求項２３】
前記同調要素は、前記誘導ループの一部を短絡させる部分を有している請求項２０のシステム。
【請求項２４】
前記同調要素は、短絡する誘導ループの面積を変更するために可変サイズを有している請求項２３のシステム。
【請求項２５】
前記要素は、その外形が三角形である請求項２４のシステム。
【請求項２６】
前記可変容量は切替容量である請求項２２のシステム。
【請求項２７】
無給電アンテナを備え、容量を直列に備えた誘導ループで作られており、前記誘導ループは、ワイヤの実際の断面積を増大させることなく無給電アンテナに使用されるワイヤの有効断面積を増大させる物質で作られ、誘導ループと容量のＬＣ値は、特定周波数における共振周波数を規定し、前記無給電アンテナのエリア内の磁気的発生無線電力を受信し再送するシステム。
【請求項２８】
前記誘導ループは、互いに電気的に隔離されたワイヤの多重ストランドを備えたストランドワイヤで作られる請求項２７のシステム。
【請求項２９】
前記ストランドワイヤはリッツワイヤである請求項２８のシステム。
【請求項３０】
前記特定周波数において磁気エネルギーを送信する送信アンテナをさらに備えている請求項２７のシステム
【請求項３１】
前記無給電アンテナは、前記無給電アンテナの共振周波数を変更することに調整可能である同調要素を有している請求項２７のシステム。
【請求項３２】
前記同調要素は可変容量を有している請求項３１のシステム。
【請求項３３】
前記同調要素は前記共振周波数を下方向に単に調節する請求項３１のシステム。
【請求項３４】
前記同調要素は、前記誘導ループの一部を短絡させる部分を有している請求項３１のシステム。
【請求項３５】
前記同調要素は、短絡する誘導ループの面積を変更するために可変サイズを有している請求項３４のシステム。
【請求項３６】
前記可変容量は切替容量である請求項３２のシステム。
【請求項３７】
無給電アンテナを備え、容量を直列に備えた誘導ループで作られており、誘導ループと容量のＬＣ値は特定周波数の共振周波数に同調され、前記無給電アンテナのエリア内の前記特定周波数の磁気的発生無線電力を受信し再送し、前記無給電アンテナは、前記誘導ループの一部の両端を短絡することによって前記無給電アンテナの共振周波数を変更することに調整可能である同調要素を有しているシステム。
【請求項３８】
前記誘導ループは、ワイヤの実際の断面積を増大させることなくアンテナに使用されるワイヤの有効断面積を増大させる物質で作られる請求項３７のシステム。
【請求項３９】
前記特定周波数において磁気電力を送信する送信アンテナをさらに備えている請求項３７のシステム。
【請求項４０】
前記要素は、短絡する誘導ループの面積を変更するために可変サイズを有している請求項３７のシステム。
【請求項４１】
前記要素は三角形である請求項４０のシステム。
【請求項４２】
磁場発生器を含み、特定周波数において磁場を生成する無線電力送信機と、前記特定周波数を有する磁場を生成することによって無線電力を送信する送信アンテナを備え、前記送信アンテナはインダクタンスを有し、また容量を有し、前記特定周波数で実質的に共振するＬＣ値を形成し、前記インダクタンスは、あるエリアの外周のまわりに延びるアンテナループによって形成され、ループを形成するエリアは、少なくとも二つの異なる平面区間を有し、第一の平面区間は第二の平面区間の上方にあるシステム。
【請求項４３】
無給電アンテナをさらに備え、前記送信アンテナの前記ループよりも小さく、前記無線電力をあるエリア内に再送する請求項４２のシステム。
【請求項４４】
前記アンテナは、第一の平面内の第一の区域と、前記第一の平面の上方に水平にある第二の平面内の第二の区域を有している請求項４２のシステム。
【請求項４５】
前記第一と第二の平面の間に延びる第三の部分をさらに備えている請求項４４のシステム。
【請求項４６】
磁気共振器の第一の要素を形成し、無線電力を磁場として生成する第一のアンテナから無線電力を生成することと、
中継器アンテナを使用して、前記第一のアンテナの範囲内に、前記無線電力を再送することと、
前記中継器アンテナによって無線で再送された前記磁気電力を無線で携帯装置内に受信し、前記電力を使用して前記装置に電力を供給することを有している方法。
【請求項４７】
前記第一のアンテナは、前記第二のアンテナよりも大きな外側寸法を有している請求項４６の方法。
【請求項４８】
ワイヤの実際の断面積を増大させることなくアンテナに使用されるワイヤの有効断面積を増大させる物質を使用することをさらに有している請求項４６の方法。
【請求項４９】
前記生成することは、部屋の周囲を囲む送信アンテナを使用する請求項４６の方法。
【請求項５０】
前記送信アンテナは部屋の異なる高レベルにある請求項４９の方法。
【請求項５１】
前記中継器アンテナの共振周波数に同調することをさらに有している請求項４６の方法。
【請求項５２】
前記同調することは、可変容量の値を変更することを有している請求項５１の方法。
【請求項５３】
前記同調することは、前記誘導ループの一部を短絡させることを有している請求項５１の方法。
【請求項５４】
前記第二のサイズが前記第一のサイズよりも小さい請求項１のシステム。
【請求項５５】
共振アンテナと、
同調変調要素を備え、前記共振アンテナの共振周波数を変調するためにその面積が変更可能である短絡ループで作られているシステム。
【請求項５６】
前記同調変調要素は、前記共振アンテナに第一の共振周波数を設定する第一の面積を有するように変調され、また前記共振アンテナに第二の共振周波数を設定する第二の面積を有するように変調される請求項５５のシステム。
【請求項５７】
前記共振アンテナは、容量に接続されたインダクタンスを有する請求項５５のシステム。
【請求項５８】
前記同調変調要素は、前記インダクタンスを横切る異なる短絡エリアを規定する請求項５７のシステム。
【請求項５９】
前記アンテナに接続された、電力を無線で受信するための回路をさらに備えている請求項５５のシステム。
【請求項６０】
前記アンテナに接続された、電力を無線で送信するための回路をさらに備えている請求項５５のシステム。
【請求項６１】
ＬＣ共振アンテナを使用して共振周波数において無線電力を受信することと、
前記ＬＣ共振アンテナを同調して前記アンテナの共振周波数路を増大させることを有している方法。
【請求項６２】
前記同調することは、前記共振アンテナの共振周波数を変調するためにその面積が変更可能である短絡ループを変調することを有している請求項６１の方法。
【請求項６３】
前記同調することは、前記短絡ループを、前記共振アンテナに第一の共振周波数を設定する第一の面積に制御し、前記共振アンテナに第二の共振周波数を設定する第二の面積に変更する請求項６２の方法。
【請求項６４】
ＬＣ共振アンテナを使用して共振周波数において無線電力を送信することと、
前記ＬＣ共振アンテナを同調して前記アンテナの共振周波数路を増大させることを有している方法。
【請求項６５】
前記同調することは、前記共振アンテナの共振周波数を変調するためにその面積が変更可能である短絡ループを変調することを有している請求項６４の方法。
【請求項６６】
前記同調することは、前記短絡ループを、前記共振アンテナに第一の共振周波数を設定する第一の面積に制御し、前記共振アンテナに第二の共振周波数を設定する第二の面積に変更する請求項６６の方法。
【手続補正２】
【補正対象書類名】明細書
【補正対象項目名】００７３
【補正方法】変更
【補正の内容】
【００７３】
特定の数値がここに言及される場合、値は、２０％までは増大または減少されてよく、ある異なる範囲が特に言及されないかぎり、本出願の教示内にまだとどまっていると見なすべきである。特定の論理感覚が使用される場合、反対の論理感覚も包含されるように意図されている。
以下に、本願出願の当初の特許請求の範囲に記載された発明を付記する。
［１］磁場に無線電力を送信する第一のサイズの送信アンテナを有する第一のシステムと、
あるエリアに前記無線電力を再送する前記第一のサイズよりも小さい第二のサイズの無給電アンテナを備えているシステム。
［２］前記無給電アンテナは誘導ループと容量で作られる［１］のシステム。
［３］前記誘導ループは、互いに電気的に隔離されたストランドを備えたストランドワイヤで作られる［２］のシステム。
［４］前記誘導ループは、ワイヤの実際の断面積を増大させることなくアンテナに使用されるワイヤの有効断面積を増大させる物質で作られる［２］のシステム。
［５］前記送信アンテナは、部屋の周囲を囲んでいる［１］のシステム。
［６］前記送信アンテナは、部屋の異なるレベルにある［５］のシステム。
［７］前記第一のシステムは、周波数発生器とマッチングシステムを有し、前記マッチングシステムは、結合トランスと、前記トランスの一次側のコンデンサを有している［１］のシステム。
［８］前記無給電アンテナは、前記無給電アンテナの共振周波数を変更するために調整可能である同調要素を有している［２］のシステム。
［９］前記同調要素は可変容量を有している［８］のシステム。
［１０］前記要素は、前記共振周波数を下方向に単に調節する［８］のシステム。
［１１］前記同調要素は、前記誘導ループの一部を短絡させる部分を有している［８］のシステム。
［１２］前記要素は、短絡する誘導ループの面積を変更するために可変サイズを有している［１１］のシステム。
［１３］前記要素は三角形である［１２］のシステム。
［１４］前記可変容量は切替容量である［９］のシステム。
［１５］無給電アンテナを備え、前記無給電アンテナのエリア内の磁気的発生無線電力を受信し再送するように同調されたシステム。
［１６］前記無給電アンテナは誘導ループと容量で作られる［１５］のシステム。
［１７］前記誘導ループは、ワイヤの実際の断面積を増大させることなく無給電アンテナに使用されるワイヤの有効断面積を増大させる物質で作られる［１６］のシステム。
［１８］前記誘導ループは、互いに電気的に隔離されたストランドを備えたストランドワイヤで作られる［１７］のシステム。
［１９］磁気エネルギーを送信する送信アンテナをさらに備えている［１５］のシステム。
［２０］前記無給電アンテナは、前記無給電アンテナの共振周波数を変更することに調整可能である同調要素を有している［１６］のシステム。
［２１］前記同調要素は可変容量を有している［２０］のシステム。
［２２］前記同調要素は、前記共振周波数を下方向に単に調節する［２０］のシステム。
［２３］前記同調要素は、前記誘導ループの一部を短絡させる部分を有している［２０］のシステム。
［２４］前記同調要素は、短絡する誘導ループの面積を変更するために可変サイズを有している［２３］のシステム。
［２５］前記要素は、その外形が三角形である［２４］のシステム。
［２６］前記可変容量は切替容量である［２２］のシステム。
［２７］無給電アンテナを備え、容量を直列に備えた誘導ループで作られており、前記誘導ループは、ワイヤの実際の断面積を増大させることなく無給電アンテナに使用されるワイヤの有効断面積を増大させる物質で作られ、誘導ループと容量のＬＣ値は、特定周波数における共振周波数を規定し、前記無給電アンテナのエリア内の磁気的発生無線電力を受信し再送するシステム。
［２８］前記誘導ループは、互いに電気的に隔離されたワイヤの多重ストランドを備えたストランドワイヤで作られる［２７］のシステム。
［２９］前記ストランドワイヤはリッツワイヤである［２８］のシステム。
［３０］前記特定周波数において磁気エネルギーを送信する送信アンテナをさらに備えている［２７］のシステム
［３１］前記無給電アンテナは、前記無給電アンテナの共振周波数を変更することに調整可能である同調要素を有している［２７］のシステム。
［３２］前記同調要素は可変容量を有している［３１］のシステム。
［３３］前記同調要素は前記共振周波数を下方向に単に調節する［３１］のシステム。
［３４］前記同調要素は、前記誘導ループの一部を短絡させる部分を有している［３１］のシステム。
［３５］前記同調要素は、短絡する誘導ループの面積を変更するために可変サイズを有している［３４］のシステム。
［３６］前記可変容量は切替容量である［３２］のシステム。
［３７］無給電アンテナを備え、容量を直列に備えた誘導ループで作られており、誘導ループと容量のＬＣ値は特定周波数の共振周波数に同調され、前記無給電アンテナのエリア内の前記特定周波数の磁気的発生無線電力を受信し再送し、前記無給電アンテナは、前記誘導ループの一部の両端を短絡することによって前記無給電アンテナの共振周波数を変更することに調整可能である同調要素を有しているシステム。
［３８］前記誘導ループは、ワイヤの実際の断面積を増大させることなくアンテナに使用されるワイヤの有効断面積を増大させる物質で作られる［３７］のシステム。
［３９］前記特定周波数において磁気電力を送信する送信アンテナをさらに備えている［３７］のシステム。
［４０］前記要素は、短絡する誘導ループの面積を変更するために可変サイズを有している［３７］のシステム。
［４１］前記要素は三角形である［４０］のシステム。
［４２］磁場発生器を含み、特定周波数において磁場を生成する無線電力送信機と、前記特定周波数を有する磁場を生成することによって無線電力を送信する送信アンテナを備え、前記送信アンテナはインダクタンスを有し、また容量を有し、前記特定周波数で実質的に共振するＬＣ値を形成し、前記インダクタンスは、ループのまわりに延びるアンテナループによって形成され、ループを形成するエリアは、少なくとも二つの異なる平面区間を有し、第一の平面区間は第二の平面区間の上方にあるシステム。
［４３］無給電アンテナをさらに備え、前記送信アンテナの前記ループよりも小さく、前記無線電力をあるエリア内に再送する［４２］のシステム。
［４４］前記アンテナは、第一の平面内の第一の区域と、前記第一の平面の上方に水平にある第二の平面内の第二の区域を有している［４２］のシステム。
［４５］前記第一と第二の平面の間に延びる第三の部分をさらに備えている［４４］のシステム。
［４６］磁気共振器の第一の要素を形成し、無線電力を磁場として生成する第一のアンテナから無線電力を生成することと、
無給電アンテナを使用して、前記第一のアンテナの範囲内に、前記無線電力を再送することと、
前記無給電アンテナによって無線で再送された前記磁気電力を無線で携帯装置内に受信し、前記電力を使用して前記装置に電力を供給することを有している方法。
［４７］前記第一のアンテナは、前記第二のアンテナよりも大きな外側寸法を有している［４６］の方法。
［４８］ワイヤの実際の断面積を増大させることなくアンテナに使用されるワイヤの有効断面積を増大させる物質を使用することをさらに有している［４６］の方法。
［４９］前記生成することは、部屋の周囲を囲む送信アンテナを使用する［４６］の方法。
［５０］前記送信アンテナは部屋の異なる高レベルにある［４９］の方法。
［５１］前記無給電アンテナの共振周波数に同調することをさらに有している［４６］の方法。
［５２］前記同調することは、可変容量の値を変更することを有している［５１］の方法。
［５３］前記同調することは、前記誘導ループの一部を短絡させることを有している［５１］の方法。
【手続補正３】
【補正対象書類名】図面
【補正対象項目名】全図
【補正方法】変更
【補正の内容】
【図１】
2011505103.tif 000001
【図２】
2011505103.tif 000002
【図３】
2011505103.tif 000003
【図４】
2011505103.tif 000004
【図５】
2011505103.tif 000005
【図６】
2011505103.tif 000006
【図７】
2011505103.tif 000007
【図８】
2011505103.tif 000008
【図９】
2011505103.tif 000009
【図１０】
2011505103.tif 000010
【図１１】
2011505103.tif 000011
【図１２Ａ】
2011505103.tif 000012
【図１２Ｂ】
2011505103.tif 000013